(57)【要約】【課題】構造が単純で、安価に製造でき、組立の容易な、スタビライザ支持装置を提供する。【解決手段】スタビライザバー２を取り囲み、かつ、軸方向に延びる切断部を有し、スタビライザバー２を車体部品６に取り付けるためのクランプ５に取り囲まれるエラストマ製の支持ブッシュ３を備えたスタビライザ支持装置１において、支持ブッシュ３が、クランプ５と形状嵌合可能な外側支持部材４により、クランプ５内に保持されることを特徴とする。【選択図】図２
2008018932.tif 000002
【特許請求の範囲】
【請求項１】
スタビライザバーを自動車上で支持するためのスタビライザ支持装置であって、
周方向の一ヶ所に接離可能な一対の端部を有し、前記スタビライザバーを取り囲む筒状のエラストマ製の支持ブッシュと、
前記支持ブッシュの外周面に対応した湾曲面を有し、該湾曲面によって前記支持ブッシュの外側から前記スタビライザバーを前記自動車における前記スタビライザバーの取付面側に押し付けて、前記スタビライザバーを前記自動車に対して固定するクランプと、
前記支持ブッシュと前記取付面との間に配置されるとともに、前記支持ブッシュとの当接面が前記支持ブッシュの外周面に対応した湾曲面となっており、前記クランプとともに前記支持ブッシュの外周を取り囲むようにして前記クランプに結合される外側支持部材と、を備え、
前記支持ブッシュは、両端部が互いに接触した状態で、前記スタビライザバーと前記クランプ及び前記外側支持部材との間に保持されることを特徴とするスタビライザ支持装置。
【請求項２】
前記支持ブッシュは、前記クランプに当接する領域において軸方向中央部が軸方向両端部に対して隆起していることを特徴とする請求項１に記載のスタビライザ支持装置。
【請求項３】
前記支持ブッシュには、周方向の一ヶ所に接離可能な一対の端部を有する管状部材が埋め込まれていることを特徴とする請求項１または２に記載のスタビライザ支持装置。
【請求項４】
前記管状部材は、前記一対の端部が設けられた領域とは反対側の領域に縦方向に延びる長穴を有することを特徴とする請求項３に記載のスタビライザ支持装置。
【請求項５】
スタビライザバーを自動車上で支持するためのスタビライザ支持装置であって、
前記スタビライザバーを取り囲み、かつ、軸方向に延びる切断部を有し、取付用のクランプに取り囲まれるエラストマ製の支持ブッシュを備えたスタビライザ支持装置において、
前記支持ブッシュが、前記クランプと形状嵌合可能な外側支持部材により、前記クランプ内に保持されることを特徴とするスタビライザ支持装置。
【請求項６】
前記支持ブッシュがスリーブ形状であることを特徴とする請求項５に記載のスタビライザ支持装置。
【請求項７】
前記外側支持部材の内側輪郭が、前記支持ブッシュの輪郭に適合されていることを特徴とする請求項６に記載のスタビライザ支持装置。
【請求項８】
前記外側支持部材が、その側方に突出した壁部分に、前記クランプの側壁に設けられた開口部に係止可能な鉤状突起を有することを特徴とする請求項５から７のいずれか一項に記載のスタビライザ支持装置。
【請求項９】
前記外側支持部材がプラスチック製であることを特徴とする請求項５から８のいずれか一項に記載のスタビライザ支持装置。
【請求項１０】
前記支持ブッシュが、前記クランプに取り囲まれる領域に、ドーム形の隆起を備えることを特徴とする請求項５から９のいずれか一項に記載のスタビライザ支持装置。
【請求項１１】
前記支持ブッシュは、前記外側支持部材に覆われる領域が管状であることを特徴とする請求項５から１０のいずれか一項に記載のスタビライザ支持装置。
【請求項１２】
エラストマ材からなる前記支持ブッシュには、縦方向に延びる切断部が片側に設けられた管状部材が埋め込まれていることを特徴とする請求項５から７のいずれか一項に記載のスタビライザ支持装置。
【請求項１３】
前記管状部材は、前記切断部とは反対側に、縦方向に延びる長孔を有することを特徴とする請求項１２に記載のスタビライザ支持装置。
【請求項１４】
前記長孔は、前記管状部材の全長の少なくとも４分の３であることを特徴とする請求項１３に記載のスタビライザ支持装置。
【請求項１５】
前記支持ブッシュにおいて、前記切断部が、前記外側支持部材に対向する側とは反対側に設けられていることを特徴とする請求項５から１１のいずれか一項に記載のスタビライザ支持装置。
【発明の詳細な説明】
【技術分野】
【０００１】
本発明は、スタビライザバーを自動車上で支持するためのスタビライザ支持装置に関し、より詳細には、軸方向に延びる切断部を備え、スタビライザバーを取り囲むエラストマ製の支持ブッシュと、該支持ブッシュを取り囲んで保持する固定クランプと、を備えるスタビライザ支持装置に関する。
【背景技術】
【０００２】
スタビライザ支持装置は、自動車のシャーシ上でスタビライザバーを支持するために用いられるものであり、スタビライザと車軸との間の結合部材として用いられる。スタビライザ支持装置に必要となる取付高さは、取付箇所に従ってさまざまに異なるため、その高さを補償するための部品が必要となる。さらに、スタビライザ支持装置自体を輸送する際には、別の問題も生じる。通常、スタビライザ支持装置はスタビライザ支持装置のメーカーで、クランプに組み付けられる。この事前組み立てされた部品は、続いて車軸のメーカーに供給される。このメーカーで確保の措置が行われなければ、スタビライザ支持装置を輸送する際に、クランプが支持ブッシュから外れる可能性がある。
【０００３】
特許文献１により開示されたスタビライザ支持装置の場合、ゴム製の支持ブッシュが２つの部品で構成され、その一方の部品がクランプと固定結合されている。他方のゴム材部品は、取り外し状態にあるゴム材本体であり、取り外し可能な方法でクランプと結合可能なものとして形成されている。両部品は、係止結合具によって互いに結合することができる。この係止結合具によって、両部品の事前組立を行うことができる。しかし、このスタビライザ支持装置は、その全体構造が非常に複雑なため、製造コストがかかる。
【０００４】
スタビライザ支持装置のもう１つの実施形態が、特許文献２に記載されている。この実施形態においては、ゴム製の支持ブッシュは加硫された土台が設けられ、これら両部品を結合したものがクランプに把握される。この支持ブッシュは側面に、その長手軸に平行に位置する切断部を備える。支持ブッシュのリップを開いて、その中にスタビライザバーを組み込むために、前記切断部を組み付け用の開口部として用いる。この実施形態の場合も、製造プロセスは依然として煩瑣である。なぜなら、支持ブッシュをプラスチック製の土台と加硫によって互いに結合するとき、特別に選択されたゴムの混合物を用いるからである。その他、この実施形態においては、輸送の際にクランプが支持ブッシュから外れないとは保証されない。
【特許文献１】独国特許第１０２００４０５６８８４Ａ１号
【特許文献２】独国特許第１００４５７７８Ａ１号
【発明の開示】
【発明が解決しようとする課題】
【０００５】
本発明は上記の従来技術の課題を解決するためになされたもので、構造が単純で、安価に製造することができ、組立が容易なスタビライザ支持装置を提供することを目的とする。
【０００６】
さらに、組立時に必要となる取付高さを容易に確保することができ、また、輸送の際には、予め組み付けられた支持装置において固定クランプが外れたりしないことが保証され、輸送の安全が得られるスタビライザ支持装置を提供することを目的とする。
【課題を解決するための手段】
【０００７】
上記目的を達成するために、本発明におけるスタビライザ支持装置は、
スタビライザバーを自動車上で支持するためのスタビライザ支持装置であって、
周方向の一ヶ所に接離可能な一対の端部を有し、前記スタビライザバーを取り囲む筒状のエラストマ製の支持ブッシュと、
前記支持ブッシュの外周面に対応した湾曲面を有し、該湾曲面によって前記支持ブッシュの外側から前記スタビライザバーを前記自動車における前記スタビライザバーの取付面側に押し付けて、前記スタビライザバーを前記自動車に対して固定するクランプと、
前記支持ブッシュと前記取付面との間に配置されるとともに、前記支持ブッシュとの当接面が前記支持ブッシュの外周面に対応した湾曲面となっており、前記クランプとともに前記支持ブッシュの外周を取り囲むようにして前記クランプに結合される外側支持部材と、を備え、
前記支持ブッシュは、両端部が互いに接触した状態で、前記スタビライザバーと前記クランプ及び前記外側支持部材との間に保持されることを特徴とする。
【０００８】
本発明によれば、支持ブッシュが、互いに結合可能に構成されたクランプと外側支持部材とにより取り囲まれて保持された状態となり、輸送時等において支持ブッシュがクランプから外れてしまうのが抑制される。
【０００９】
また、支持ブッシュと取付面との間に外側取付部材を挟みこむ構成なので、スタビライザバーの取り付け箇所に応じた取付高さの確保が容易となる。
【００１０】
また、スタビライザ支持装置の組立時には、支持ブッシュがクランプと外側支持部材とにより押圧されることで支持ブッシュの端部が互いに接触した状態となり、エラストマ製の支持ブッシュがスタビライザバーの全周を取り囲む状態となる。これにより、スタビライザバーの支持部分に全周にわたって均一な圧縮力を得ることができ、安定した支持状態を形成することができる。
【００１１】
前記支持ブッシュは、前記クランプに当接する領域において軸方向中央部が軸方向両端部に対して隆起しているとよい。
【００１２】
これにより、支持ブッシュがクランプに対して軸方向にずれて外れてしまうのが抑制される。
【００１３】
前記支持ブッシュには、周方向の一ヶ所に接離可能な一対の端部を有する管状部材が埋め込まれているとよい。
【００１４】
このように、支持ブッシュに管状部材を埋め込むことで支持ブッシュの剛性を補強することができる。
【００１５】
前記管状部材は、前記一対の端部が設けられた領域とは反対側の領域に縦方向に延びる長穴を有するとよい。
【００１６】
このように、管状部材に長穴を設けて管状部材の剛性を変化させることで支持ブッシュの剛性を調整することができる。
【００１７】
また、上記目的を達成するために、本発明におけるスタビライザ支持装置は、以下のように構成される。
【００１８】
本発明の基本的考えは、クランプと形状嵌合可能な外側支持部材によって、支持ブッシュを動かない状態でクランプ内に保持するというものである。したがって、スタビライザ支持装置の事前組立は次のように行う。すなわち、支持ブッシュをクランプ内に挿入し、
対応する形状の外側支持部材を、固定クランプの側壁の間の空いているスペースに押し込み、適切な方法でクランプの側壁に係止結合する。
【００１９】
好ましい方法として、前記支持ブッシュを筒状に形成する。これにより、材料の使用量を可能な限り少量に削減することができる。その他、外側支持部材の内側輪郭を支持ブッシュの輪郭に適合させることにより、スタビライザバーに対して、支持装置内壁による極めて均一な加圧力を得ることができる。
【００２０】
非常に好ましい一実施形態では、外側支持部材の壁の側面突出部分に鉤状の突起を設け、この突起をクランプ側壁の対応する開口部に係止させる。外側支持部材はプラスチック製なので、クランプ側壁間への挿入や、対応する開口部への係止に必要な弾性を備える。
【００２１】
外側支持部材のもう１つの利点は、支持ブッシュをスタビライザとともにクランプに押し込む力が、支持ブッシュ上に非常に限定されて配分されることである。
【００２２】
クランプへの支持ブッシュの固定を補強するため、支持ブッシュは、クランプに取り囲まれる領域にドーム形の隆起を備える。クランプの輪郭はこのドーム形の隆起に適合されている。これにより、クランプに挿入された支持ブッシュが軸方向に移動するのが防止される。支持ブッシュのうち、外側支持部材に取り囲まれる領域は、管状のままとすることができる。
【００２３】
さらに別の実施形態としては、切断部が設けられた管状部材をエラストマ材からなる支持ブッシュに埋め込んだものとすることができる。これにより支持装置の剛性を調節することができる。
【００２４】
支持ブッシュに設けられる軸方向に延びる切断部は、外側支持部材に対して反対側の領域に設けられるのが好ましい。支持装置組立の際には、支持ブッシュの切断部を形成する端部の端面が互いに離間するように切断部を開く。これにより、スタビライザバーを支持装置に容易に挿入できるようになる。
【発明の効果】
【００２５】
以上説明したように、本発明により、構造が単純となり、安価に製造することができ、組立が容易となる。また、組立時に必要となる取付高さを容易に確保することができ、また、輸送の際には、予め組み付けられた支持装置において固定クランプが外れたりしないことが保証され、輸送の安全が得られる。
【発明を実施するための最良の形態】
【００２６】
以下に図面を参照して、この発明を実施するための最良の形態を、実施例に基づいて例示的に詳しく説明する。ただし、この実施例に記載されている構成部品の寸法、材質、形状、その相対配置などは、特に特定的な記載がない限りは、この発明の範囲をそれらのみに限定する趣旨のものではない。
【００２７】
（実施例）
図１〜図５を参照して、本発明の実施例に係るスタビライザ支持装置について説明する。図１は、本実施例に係るスタビライザ支持装置の斜視図である。図２は、本実施例に係るスタビライザ支持装置の横断面図である。図３は、本実施例に係るスタビライザ支持装置の縦断面図である。図４は、本実施例に係る支持ブッシュと外側支持部材の横断面図である。図５は、本実施例に係る管状部材の斜視図である。
【００２８】
図１に示すスタビライザ支持装置１は主として、スタビライザバー２を取り囲む支持ブ
ッシュ３と、外側支持部材４とからなり、クランプ５によって車体部品または車体部品６に、ネジ７を介して固定されている。
【００２９】
図２はスタビライザ支持装置１の横断面図を示している。支持ブッシュ３は略筒状の部材である。クランプ５は、上部分が半円形であって、内壁面が支持ブッシュ３に密着している。クランプ５の側壁８は、車体部品また車軸部品６におけるスタビライザ支持装置１の取付面に対して垂直に構成されている。また、クランプ５の壁面は、支持ブッシュ３の外壁にぴったりと密着し、支持ブッシュ３は、ここでは直径（外径寸法）がクランプ５の壁面よりわずかに大きいものが選択されている。
【００３０】
外側支持部材４は、その内側（上面側の）輪郭９が支持ブッシュ３（の外周面）に適合されていて、その断面は円形である。外側支持部材４の外側（下面側の）輪郭１０は平面に形成され、その幅全体にわたって車体部品６に密着している。外側支持部材４の側壁には鉤状突起１２を備えた突出部分１１が設けられており、この突起１２がクランプ５の側壁８に設けられた開口部１３に係止可能に構成されている。外側支持部材４はプラスチック製で、その全体的な寸法形状は、支持ブッシュ３を固定クランプ５の中に保持、確保するだけでなく、同時に高さを補償（確保）できるようなものとなっている。
【００３１】
図３に示すスタビライザ支持装置１の縦断面図にはドーム形の隆起１４が記載されており、この隆起１４は、支持ブッシュ３においてクランプ５に取り囲まれる領域に設けられている。クランプ５自体もそれに対応する形状なので、これにより固定クランプ５と支持ブッシュ３が軸方向に移動するのが防止される。支持ブッシュ３において外側支持部材４に取り囲まれる領域では、支持ブッシュ３と外側支持部材４を、そのような形状にする必要はない。本実施例においては、これらの部品は図に示すようにドーム状に隆起させていない。エラストマ材からなる支持ブッシュ３には、切断部が設けられた管状部材１５が埋め込まれており、この管状部材１５はエラストマ材の補強に用いられる。
【００３２】
管状部材１５の形状と配置を、図４及び５に示す。図４は、製造後の支持ブッシュ３の形状を示す。支持ブッシュ３において外側支持部材４に対して反対側には、縦方向に延びる切断部１７が形成されており、スタビライザ組立装置１の組立時には、支持ブッシュ３がクランプ５に押圧されることで、この切断部１７は閉じられる。この押圧は外側支持部材４によっても行われ、外側支持部材４の鉤状突起１２が、クランプ５の側壁に設けられた開口部１３に引っかかる。縦方向切断部１７は閉じられて、図２に示す切れ目１８が残る。図５は管状部材１５の斜視図を示す。管状部材１５には縦方向に延びる切れ目が設けられており、管状部材１５を開くことにより、切断部１７が形成される。図４を参照すると、管状部材１５は切断部１７とは反対側の領域に縦方向に延びる長孔１９が設けられており、この長孔１９は、縦方向両側の端部領域２０を残して、管状部材１５のほぼ全長にわたって延びている。長孔１９の長さは管状部材１５の全長に対して少なくとも４分の３の長さとする。
【００３３】
本発明によれば、支持ブッシュ３は、互いに結合可能に構成されたクランプ５と外側支持部材４とにより取り囲まれて保持された状態でスタビライザバー２に取り付けられるので、輸送時等においてクランプ５から外れてしまうのが抑制される。
【００３４】
また、支持ブッシュ３と車軸部品６の取付面との間に外側取付部材４を挟みこむ構成なので、スタビライザバー２の取り付け箇所に応じた取付高さの確保が容易となる。
【００３５】
また、スタビライザ支持装置１の組立時には、支持ブッシュ３がクランプ５と外側支持部材４とにより押圧されることで支持ブッシュ３の端部が互いに接触して切断部が閉じることにより、エラストマ製の支持ブッシュ３がスタビライザバー２の全周を取り囲む状態
となる。これにより、スタビライザバー２の支持部分に全周にわたって均一な圧縮力が発生し、安定した支持状態を形成することができる。
【図面の簡単な説明】
【００３６】
【図１】図１は、本実施例に係るスタビライザ支持装置の斜視図である。
【図２】図２は、本実施例に係るスタビライザ支持装置の中心を通る面で切った横断面図である。
【図３】図３は、本実施例に係るスタビライザ支持装置の縦断面図である。
【図４】図４は、支持ブッシュと外側支持部材の横断面図である。
【図５】図５は、管状部材の斜視図である。
【符号の説明】
【００３７】
１  スタビライザ支持装置
２  スタビライザバー
３  支持ブッシュ
４  外側支持部材
５  クランプ
６  車体部品
７  ネジ
８  側壁
９  内側輪郭
１０  外側輪郭
１１  突出部分
１２  突起
１３  開口部
１４  隆起
１５  管状部材
１７  切断部
１８  切れ目
１９  長孔
２０  末端領域
【図１】
2008018932.tif 000003
【図２】
2008018932.tif 000004
【図３】
2008018932.tif 000005
【図４】
2008018932.tif 000006
【図５】
2008018932.tif 000007